(57)【要約】本発明は、コンピュータプラットフォーム（３）と、それぞれに少なくとも１つのデジタル認識コードを有するパッケージ（Ｅ）内の組み込み機器（２）とを備える、物体搬送システムに関し、プラットフォーム（３）はデジタルコードのデータベースを含み、組み込み機器（２）はそれぞれにジオロケーションリソース（１１）にアクセスでき、当該システムは、プラットフォーム（３）が、それぞれに地理的配布領域データと関連づけられた配布予定の広告を配布するためのモジュール（３１）を備え、当該システムがプラットフォームと組み込み機器の間の送信機／受信機（３２）、（１００）を備え、プラットフォーム（３）が、パッケージ（Ｅ）のジオロケーションに関するデータを受信し、前記パッケージ（Ｅ）のジオロケーションデータが広告の地理的配布領域に入った場合に少なくとも１つの広告を組み込み機器（２）に送信するように構成されることを特徴とする。
2019537165.tif 000002
【特許請求の範囲】
【請求項１】
コンピュータプラットフォーム（３）と、パッケージ（Ｅ）内の組み込み機器（２）とを備える、物体を搬送するためのシステムであって、前記パッケージ（Ｅ）は、前記物体（Ｏ）を収容するように意図され、それぞれに少なくとも１つのデジタル認識コードを有し、前記プラットフォームは前記デジタルコードのデータベースを含み、前記組み込み機器はそれぞれにジオロケーションリソース（１１）にアクセスでき、
前記プラットフォームが、それぞれに地理的配布領域データと関連づけられた配布予定の広告を配布するためのモジュール（３１）を備えること、
前記システムが前記プラットフォームと前記組み込み機器との間の送信機／受信機（３２）、（１００）を備え、
前記プラットフォームが、前記パッケージ（Ｅ）のジオロケーションに関するデータを受信するように、及び、前記パッケージの前記ジオロケーションデータが前記広告の前記地理的配布領域に入った場合に少なくとも１つの広告を前記組み込み機器（２）に送信するように構成されること、並びに
前記パッケージ（Ｅ）が配布手段を備えつけられ、前記広告がそれらの配布手段を介して配布されるように意図されることを特徴とするシステム。
【請求項２】
前記配布手段は画面（２００）を備え、前記広告は前記画面に配布されるように意図されることを特徴とする、請求項１に記載の物体を搬送するためのシステム。
【請求項３】
前記画面（２００）は電子ペーパーからなることを特徴とする、請求項２に記載の物体を搬送するためのシステム。
【請求項４】
前記ジオロケーションリソース（１１）は前記パッケージの前記組み込み機器（２）に含まれることを特徴とする、請求項１から３のいずれかに記載の物体を搬送するためのシステム。
【請求項５】
前記コンピュータプラットフォーム（３）は、前記物体を搬送することに参加できる個人によって保持される携帯型コンピュータユニット（１）によってロードされるように意図された少なくとも１つのコンピュータアプリケーション（１３）を含むことを特徴とする、請求項１から４のいずれかに記載の物体を搬送するためのシステム。
【請求項６】
前記ジオロケーションリソース（１１）は前記携帯型ユニット（１）に含まれることを特徴とする、請求項５に記載の物体を搬送するためのシステム。
【請求項７】
前記携帯型ユニット（１）は第１近距離無線通信手段（１０）を備え、前記組み込み機器（２）は、それぞれに、
前記第１近距離無線通信手段（１０）と通信可能な第２近距離無線通信手段（２０）と、
前記第２近距離無線通信手段によって供給されるデータを取得し処理するための、前記第２近距離無線通信手段（２０）と協働可能な少なくとも１つのコンピュータ処理モジュール（２１）と、を備えることを特徴とする、請求項６に記載の物体を搬送するためのシステム。
【請求項８】
前記コンピュータモジュール（２１）は、前記コンピュータモジュールと前記携帯型コンピュータユニット（１）との間のデータ交換を可能にすることを目的とした前記コンピュータアプリケーション（１３）を備え、前記コンピュータアプリケーションは、前記組み込み機器（２）が前記コンピュータユニット（１）の前記ジオロケーションリソース（１１）にアクセスし前記ジオロケーションリソース（１１）を利用することができるように意図された通信チャネルを開くように構成されることを特徴とする、請求項７に記載の物体を搬送するためのシステム。
【請求項９】
請求項１に記載の搬送システムにおいて使用されるパッケージであって、前記パッケージは、
少なくとも１つのデジタル認識コードを有し、ジオロケーション手段（１１）にアクセス可能な組み込み機器（２）と、
前記デジタルコードのデータベースを含むプラットフォーム（１３）であって、それぞれに地理的配布領域データと関連づけられた配布予定の広告を配布するためのモジュール（３１）を備えるプラットフォーム（１３）と通信するための送信／受信手段と、を備え、
前記組み込み機器（２）は、前記パッケージ（Ｅ）のジオロケーションに関するデータを前記プラットフォーム（３）に送信するために、及び、前記パッケージ（Ｅ）の前記ジオロケーションデータが前記広告の前記地理的配布領域に入った場合に少なくとも１つの広告を受信するために、ジオロケーション手段（１１）にアクセスできることを特徴とするパッケージ。
【請求項１０】
請求項１から８のいずれかに記載のシステムを用いた、物体を搬送する方法であって、
前記プラットフォームと前記組み込み機器との間の送信／受信を行うステップと、
組み込み機器のジオロケーションを行うステップと、
前記プラットフォームによる、前記パッケージのジオロケーションに関するデータの受信を行うステップと、
前記パッケージの前記ジオロケーションデータが前記広告の前記地理的配布領域に入った場合に、前記組み込み機器に少なくとも１つの広告を送信するステップと、を備えることを特徴とする方法。
【請求項１１】
コンピュータプログラムであって、前記コンピュータプログラムが少なくとも１つのプロセッサによって実行される場合に、請求項１０に記載の方法のステップを実行するように適合した命令を備えるコンピュータプログラム。
【請求項１２】
請求項１０に記載の方法のステップを実行するための命令を備えるコンピュータプログラムが記録されたコンピュータ可読記録媒体。
【発明の詳細な説明】
【技術分野】
【０００１】
本発明の分野は物流の分野に関する。より正確に、本発明は、物体の搬送に関し、より詳細に、任意の人による及び任意又はほぼ任意の手段による物体の搬送を可能にする寸法と重量を有する物体の搬送に関する。
【０００２】
したがって、本発明は、重量が８ｋｇを超えない物体、又はより一般的に、寸法及び重量が航空会社の手荷物１つの定義に対応する物体を搬送するためのシステムに関する。無論、本発明は、封筒１枚の発送にまで及ぶ、より小さな寸法及び／又は重量の物体にも適用される。
【背景技術】
【０００３】
本発明の分野において、製品をオンラインで売買する業者には、前記製品を世界中に配送することに大いに期待するものもいる。
【０００４】
しかし、国際的には、数時間での速達は、複雑であるか、又は不可能でさえあり、少なくとも、非常に遅いか、高額であるか、又はその両方である。したがって、インターネット商取引が国境を自覚しない一方で、国際的な商業配送及び個人配送に対する大きな制限要因が存在している。その結果、いくつかの国際配送企業が経験してきた巨額の収入にも関わらず、国際速達は非常に小さな市場のみを構成している。
【０００５】
この調査結果は、全ての現在の配送物流システムが、特に、
−搬送される物品の分類
−バルク輸送
−包みによる託送
に基づいた集中管理アプローチに基づくという事実に関連している。
【０００６】
さらに、従来の慣行を分析することで、
−地域の郵便サービスは、比較的狭い又はそれどころか局所的な地理的領域における限定された配達に制限されること（しかしながら、従来の専門家以外の行為者による、リソースをユーザに利用できるようにすることからなるビジネスモデルの採用が、新たな重要な機会を生み出す傾向にある）
−国内配送は約２４時間の期限内で完璧に（多かれ少なかれ独占的に）行われているが、この市場は定義上１か国に限定されること
−国際配送は、隙間産業にとどまり、これにより、時に不適当な又はそれどころか受け入れがたい期限及び費用と共に、専門化した国際配送企業の発展が促進されること
が確認される。
【０００７】
今日、現在の慣行よりも短い期限内に少額の料金又は低コストで物品を発送及び配達することに関して、明示的又は暗示的な期待がある。
【０００８】
しかし、この期待を満たすための１つの方法は、大きな割合の個人が共に多数の移動の機会を提供する世界においてみんなが移動している限り、コミュニティ及び／又は協同アプローチにある。
【０００９】
したがって、このアプローチによれば、協同システムの個人の一人に物体を任せることで出発点から物体を発送し、この個人のみを介して、又は協同システムの一人以上の他の個人による中継で、到着点まで物体を搬送することが考えられる。
【００１０】
無論、そのようなシステムにおいて、依然として、搬送される物体の位置を、その到着点に対して及び／又は協同システムに参加する個人に対してその位置を示すために、リアルタイムで知る必要がある。
【００１１】
これに関連して、搬送される物体の移動を監視するため、搬送される物体は、それらがそれらの位置に関するデータを送信することを可能にするジオロケーションリソース及び通信手段を備えつけられてもよい。このようにして、物体の進行の追跡するシステムが得られる。
【発明の概要】
【００１２】
しかし、このような解決策は、ジオロケーション及び通信リソースの電力供給に関する技術的問題をもたらす。実際に、物体のジオロケーションに専用の電力供給手段を電気的に充電するためのシステムがさらに設けられる必要があり、これは、当の手段の再充電を監視する責任を協同システムの個人に移転することを含む扱いにくい制約を伴う。
【００１３】
さらに、協同搬送の一部であるかどうかに関わらず、搬送される物体のパッケージがジオロケーションリソースにアクセスできる限りにおいて、パッケージの運搬人又は運搬人の付近にいる個人にパッケージ自体を介して情報を送信できることは、有用であり又は望まれるかもしれない。
【００１４】
このような情報は、任意の種類のもの、つまり、
−広告
−イベント情報
−地理的及び／又は履歴情報
−進行中の搬送に関する情報
であってもよい。
【００１５】
したがって、本発明の目的は、移動中のパッケージを介して、その運搬人及び／又は運搬人の周囲にいる人々に選択的に情報を配布することで、そのような期待に応えることにある。
【００１６】
本発明は、特に、搬送される物体に連結され、時間及び空間上の物体の追跡に関与する技術的手段の電気的な再充電レベルの管理に関して、物体の搬送に参加する個人レベルで制約をほぼ又は全く含まない協同物流アプローチの一部を形成する目的も有する。
【００１７】
本発明は、情報の選択的な配布のためのシステムを実装する、グローバルな物体を搬送するためのシステムを提供する目的も有する。
【００１８】
これらの目的又は後に明らかになる他の目的は、物体を搬送するためのシステムに関する本発明によって達成され、当該システムは、コンピュータプラットフォームと、パッケージ内の組み込み機器とを備え、パッケージは、物体を収容するように意図され、それぞれに少なくとも１つのデジタル認識コードを有し、プラットフォームはデジタルコードのデータベースを含み、組み込み機器はそれぞれにジオロケーションリソースにアクセスでき、当該システムは、プラットフォームが、それぞれに地理的配布領域データと関連づけられた配布予定の広告を配布するためのモジュールを備え、当該システムがプラットフォームと組み込み機器との間の送信機／受信機を備え、プラットフォームが、パッケージのジオロケーションに関するデータを受信するように、及び、前記パッケージのジオロケーションデータが広告の地理的配布領域に入った場合に少なくとも１つの広告を組み込み機器に送信するように構成されることとを特徴とする。
【００１９】
したがって、本発明によって、パッケージの運搬人又はその周囲にいる人々に対し、パッケージを介して、情報を選択的に配布することが可能であり、情報は様々な種類のものであってもよい。
【００２０】
選択的な配布は、パッケージのジオロケーション（したがって演繹的にその運搬人のジオロケーション）に基づき、例えばパッケージの位置周辺の所定の区域内のサービス及び／又は商業施設に関連する広告的性質の情報の配布を可能にする。したがって、無論、配布される広告の関連性と影響力を高めることが特に可能である。
【００２１】
好ましい実施形態によれば、パッケージは画面を備えつけられ、広告は画面に配布されるように意図される。
【００２２】
無論、この実施形態は、他の配布手段、例えば音声を除外するものではない。
【００２３】
この場合、画面は電子ペーパーからなる。
【００２４】
本発明に関連して、電子ペーパーは、エネルギーを消費することなくテキスト及び画像をいつまでも表示することを可能にするため、特に有利であることが想起される。一般的に、電子ペーパーは、表示された内容が変更されるときにのみエネルギーを消費する。したがって、そのようなシステムの画素は、エネルギー源が存在しない場合に表示された内容をそのまま保つために、多数の異なる安定した状態を有する。
【００２５】
第１の変形実施形態によれば、ジオロケーションリソースはパッケージの組み込み機器に含まれる。
【００２６】
別の変形実施形態の一部として、コンピュータプラットフォームは、物体を搬送することに参加できる個人によって保持される携帯型コンピュータユニットによってロードされるように意図された少なくとも１つのコンピュータアプリケーションを含み、この場合、有利に、ジオロケーションリソースは携帯型ユニットに含まれる。
【００２７】
したがって、携帯型ユニットは第１近距離無線通信手段を備え、組み込み機器は、それぞれに、
−第１近距離無線通信手段と通信可能な第２近距離無線通信手段と、
−前記第２近距離無線通信手段によって供給されるデータを取得し処理するための、第２近距離無線通信手段と協働可能な少なくとも１つのコンピュータ処理モジュールと、
を備えてもよい。
【００２８】
さらに、コンピュータモジュールは、コンピュータモジュールと携帯型コンピュータユニットの間のデータ交換を可能にすることを目的とした前記コンピュータアプリケーションを備え、コンピュータアプリケーションは、組み込み機器がコンピュータユニットのジオロケーションリソースにアクセスしジオロケーションリソースを利用できるように意図された通信チャネルを開くように構成される。  したがって、特に、搬送される物体のジオロケーションを確実にするための、搬送される物体に連結された技術的手段の電気的な再充電レベルに関して、搬送される物体に連結された技術的手段の正確な作動に対する責任を移転することなく、コミュニティの個人による協同の物体を搬送するためのシステムにおける、移動する物体を追跡するための時間及び空間上の追跡システムが得られる。
【００２９】
実際に、ジオロケーションリソースのような電力消費が大きい技術的手段は、搬送される物体に連結された技術的手段に存在しない。低電力消費を伴う手段のみが搬送される物体に連結されている。
【００３０】
その結果、長期間にわたり自律的に電力供給を提供できる単純なバッテリーによって、搬送される物体に連結された技術的手段に電力を供給することが可能である。
【００３１】
本発明の本質によれば、組み込み機器は、搬送される物体の移動中に近距離無線通信手段を介して、場合によって相次いで、携帯型ユニットに何らかの方法で結合し、特に携帯型ユニットに含まれたジオロケーションリソースに関して、携帯型ユニットの「高機能性」を利用する。
【００３２】
したがって、組み込み機器は完全に電気的に自律して長距離を移動することができる。さらに、組み込み機器は、電気的に再充電される必要なく、異なる次の搬送される物体に連結されることで、何度も再利用できる。
【００３３】
無論、組み込み機器の可能な繰り返される再利用は、追跡システムに、明らかな経済的利益を付加し、組み込み機器の急速な旧式化を全体又は部分的に回避することで、最適化されたカーボンフットプリントを付加する。
【００３４】
本発明による物体を搬送するためのシステムにおいて、携帯型ユニットは、有利に、個人が携行する携帯電話である。その結果、コミュニティの個人が搬送される物体を運ぶ場合、組み込み機器は常に当の個人の携帯電話の近くにあり、これにより、それとの通信、及びそのジオロケーションリソースの継続的又はほぼ継続的な利用が可能になる。
【００３５】
組み込み機器が非再充電式バッテリーの形式の電力供給手段を備えてもよいことに留意されたい。
【００３６】
したがって、組み込み機器は比較的安価な長寿命バッテリーを設けられる。したがって、組み込み機器の唯一の電力供給管理は、バッテリーが完全に放電した場合にバッテリーを単に交換することにある。
【００３７】
また、本発明は、上述の搬送システムにおいて使用されるパッケージに関し、パッケージは、
−少なくとも１つのデジタル認識コードを有し、ジオロケーション手段にアクセス可能な組み込み機器と、
−デジタルコードのデータベースを含むプラットフォームであって、それぞれに地理的配布領域データと関連づけられた配布予定の広告を配布するためのモジュールを備えるプラットフォームと通信するための送信／受信手段と、を備え、
組み込み機器は、パッケージのジオロケーションに関するデータをプラットフォームに送信するために、及び、前記パッケージのジオロケーションデータが広告の地理的配布領域に入った場合に少なくとも１つの広告を受信するために、ジオロケーション手段にアクセスできることを特徴とする。
【００３８】
また、本発明は、上述のシステムを用いた、物体を搬送する方法に関し、当該方法は、
−プラットフォームと組み込み機器との間の送信／受信を行うステップと、
−組み込み機器のジオロケーションを行うステップと、
−プラットフォームによる、パッケージのジオロケーションに関するデータの受信を行うステップと、
−前記パッケージのジオロケーションデータが広告の地理的配布領域に入った場合に、組み込み機器に少なくとも１つの広告を送信するステップと、
を備えることを特徴とする。
【００３９】
また、本発明は、コンピュータプログラムであって、前記コンピュータプログラムが少なくとも１つのプロセッサによって実行される場合に、上述の方法のステップを実行するように適合した命令を備えるコンピュータプログラムに関する。
【００４０】
さらに、本発明は、上述の方法のステップを実行するための命令を備えるコンピュータプログラムが記録されたコンピュータ可読記録媒体に関する。
【００４１】
本発明の他の特徴及び利点は、簡潔で、説明に役立ち、非限定的な例として示された本発明の好ましい実施形態に関する以下の説明と添付の図とを理解することでより明らかになるであろう。
【図面の簡単な説明】
【００４２】
【図１】本発明による物体を搬送するためのシステムを概略的に示す。
【図２】本発明によるシステムのためのパッケージの特定の実施形態を示す。
【図３】本発明による物体を搬送するためのシステムにおける物体の搬送に利用可能な組み込み機器及びその環境の概略図である。
【発明を実施するための形態】
【００４３】
前述の通り、本発明の本質は、パッケージに収容された物体を搬送するためのシステムを提供することであり、当該システムは、協同方式でもよく、すなわちコミュニティの中の個人のひとまとまりによって実施されてもよく、前記システムは、パッケージのジオロケーションに関するデータを受信するように、及び、前記パッケージのジオロケーションデータが広告の配布をトリガする地理的領域に入った場合に、パッケージ内の組み込み機器に少なくとも１つの広告を送信するように構成されたプラットフォームを実装する。
【００４４】
図１に示すように、このようなシステムは、
−コミュニティの個人Ｉが保持する携帯型コンピュータユニット１
−携帯型コンピュータユニットによってロードされることを意図されたコンピュータアプリケーション１３を含むコンピュータプラットフォーム３
−搬送される物体Ｏを収容することを意図されたパッケージＥ内の組み込み機器２であって、これらのパッケージは、搬送される物体に適した形状及び寸法の任意の容器（封筒、包み、小包等）であり得る（容器の寸法、及び内容物の重量に容器の重量が加算された全重量は、好ましいが非排他的に、航空会社の基準による手荷物に対して定められた基準に適合する）組み込み機器２
を備える種類のものである。
【００４５】
特定の好ましい実施形態によれば、携帯型コンピュータユニットは、広く普及した一般的な種類のスマートフォンからなり、特に第１近距離無線通信手段１０及びジオロケーションリソース１１を備える。
【００４６】
本発明の本質によれば、組み込み機器はそれぞれにジオロケーションリソースにアクセスでき、プラットフォームは、それぞれに地理的配布領域データと関連づけられた配布予定の広告を配布するためのモジュール３１を含む。さらに、システムは、プラットフォームと組み込み機器との間のデータ交換を確実にする送信機／受信機３２、１００を備え、プラットフォームは、パッケージのジオロケーションに関するデータを受信するように、及び、前記パッケージのジオロケーションデータが広告の地理的配布領域に入った場合に、少なくとも１つの広告を組み込み機器に送信するように構成される。
【００４７】
本実施形態によれば、図２に示すように、パッケージは画面２００を備えつけられ、広告は画面上に配布されるように意図される。この画面は、パッケージの型に応じて様々な寸法のものでもよく、無論、配布される広告の目的及び性質に応じて、運搬人の周辺付近にいる人々又は運搬人自身によって見られるように、最も露出したパッケージの壁面に配置される。
【００４８】
したがって、同一のパッケージが多数の画面を備えつけられてもよく、パッケージ上の画面の位置に応じて区別された広告を割り当てることが可能になる。
【００４９】
ともかく、画面は好ましくは電子ペーパーからなる。
【００５０】
前述した通り、電子ペーパーの選択は、本発明に関して有利となり、配布される広告の性質に関わらず低エネルギー消費を確実にし、電力消費は、低いままで、画面上に表示される広告の更新頻度のみに依存する。
【００５１】
図２に示すように、本発明によるパッケージは、袋又はバックパックの形状をとってもよいが、図１に示された包みに類似するような他の任意の形状をとってもよいことに留意されたい。
【００５２】
同様に、図２の例によれば、画面２００はパッケージの１つの側面に配置されるが、パッケージの前面、又はパッケージの上部に同様に配置されてもよい。また、前述の通り、多数の画面がパッケージを覆って設けられ配置されてもよい。
【００５３】
ともかく、本発明の本質によれば、パッケージＥは、
−少なくとも１つのデジタル認識コード（プラットフォームは全てのパッケージのデジタルコードのデータベースを含む）を有し、ジオロケーション手段へのアクセスに適した組み込み機器２
−それぞれに地理的配布領域データと関連づけられた配布予定の広告を配布するためのモジュールを備えるプラットフォームと直接又は間接的に通信するための送信／受信手段（詳細は後述する）
を含む。
【００５４】
さらに、組み込み機器は、パッケージのジオロケーションに関するデータをプラットフォームに送信するために、及び、前記パッケージのジオロケーションデータが広告の地理的配布領域に入った場合に、プラットフォームに含まれた配布モジュール３１から少なくとも１つの広告を受信するために、ジオロケーション手段にアクセスできる。
【００５５】
本発明の第１のアプローチによれば、ジオロケーションリソースはパッケージの組み込み機器に含まれている。これらは、それらがプラットフォームと情報を直接に交換できるようにする通信手段をさらに備える。この場合、組み込み機器は、パッケージのジオロケーションに関するデータをプラットフォームに定期的に送信する。広告に関連づけられた地理的領域がパッケージのジオロケーションに一致する場合、プラットフォームは場合によってパッケージに広告を送信する。それから、広告は組み込み機器によって直接受信され、組み込み機器は広告に関するデータを画面（また他の任意の配布手段）に送信するために当該データを処理する。
【００５６】
本発明の第２のアプローチに関して、搬送システムは、特に、自身に関して第１近距離無線通信手段１０と通信可能な第２近距離無線通信手段２０を備える組み込み機器２の利用に応じた、コンピュータプラットフォーム３を備えるシステムを実装する。さらに、これらの組み込み機器は、これらの第２通信手段によって供給されるデータを取得し処理するための、第２近距離無線通信手段２０と協働可能な少なくとも１つのコンピュータ処理モジュール２１を備える。
【００５７】
特定の実施形態によれば、近距離無線通信手段はＢｌｕｅｔｏｏｔｈ（登録商標）型の送信機／受信機である。
【００５８】
この第２のアプローチによれば、広告は、プラットフォーム３の配布モジュール３１によって送信機／受信機３２を介して配布される。広告は、携帯型ユニット１によってその送信機／受信機１００の助けで受信され、それから第１近距離無線通信手段１０によって組み込み機器に転送される。広告は、組み込み機器によってその第２近距離無線通信手段２０の助けで受信される。広告に関するデータは組み込み機器のコンピュータモジュール２１によって処理され、広告に関するデジタルデータは最終的に画面２００（又は他の任意の配布手段）に送信される。
【００５９】
無論、組み込み機器は他の多くの構造的手段及び機能的手段を備えてもよく、これらは後述される。
【００６０】
本発明によれば、組み込み機器のコンピュータモジュール２１及びコンピュータユニット１は、それらの間のデータ交換を可能にする共通のコンピュータアプリケーション１３を備える。このコンピュータアプリケーション１３は、組み込み機器２のコンピュータモジュール２１がコンピュータユニットのジオロケーションリソース１１にアクセスしてそれを利用できるように意図された通信チャネルを開くように構成される。言い換えれば、コンピュータモジュールはコンピュータアプリケーションを含み、コンピュータアプリケーションは、コンピュータプラットフォームからコミュニティの個人が保持するコンピュータユニットにロードされてもよい。組み込み機器とコンピュータユニットの間にリンクが確立されると、（組み込み機器及びコンピュータユニットに共通の）コンピュータアプリケーションは、第１及び第２近距離無線通信手段を介した通信チャネルを開き、組み込み機器がコンピュータユニットのジオロケーションリソースにアクセスしてそれを利用できるようにする。
【００６１】
したがって、第２のアプローチに関して、図１及び図３で示すように、組み込み機器のコンピュータモジュールは、（パッケージを追跡するシステムを得ることを可能にする）ジオロケーションに専用のリソースとして、個人の移動中に携帯型コンピュータユニットのそのリソース（したがって、この場合、物体を搬送する個人が保持するスマートフォンのもの）を利用する。無論、追跡システムは、複数の個人が順番に物体を搬送する場合にも当てはまり、その場合、組み込み機器はそれぞれの個人の携帯型コンピュータユニットと相次いで通信する。
【００６２】
より詳しく後述するように、物体のジオロケーションは、物体の保管者が保持する携帯型コンピュータユニットを介して得られてもよく、物体は、それから、場合によって移動者個人による受け取りを待つ。
【００６３】
前述したように、第１近距離無線通信手段と第２近距離無線通信手段は、Ｂｌｕｅｔｏｏｔｈを介して（又は他の考えられる実施形態においてＷｉＦｉ（登録商標）を介して）データを交換する。
【００６４】
組み込み機器の第２近距離無線通信手段及びコンピュータ処理モジュールは単純な非再充電式バッテリー２２によって電力を供給される。
【００６５】
図３を参照すると、組み込み機器は、定期的又は継続的にその機器のバッテリーによって電力を供給される他の構造的手段及び／又は機能的手段、特に、
−衝撃検知手段２３
−温度センサ２４
−湿度センサ２５
−照明手段２６
−ビデオキャプチャ手段２７
−重量測定手段２８
−開閉検知手段２９
−個人認識手段（指紋、眼紋等）
等に対応してもよいことに留意されたい。
【００６６】
図１に見られるように、物体を搬送するためのシステムは、物体の搬送を管理するためのコンピュータプラットフォーム３を備え、携帯型コンピュータユニットに含まれた第２長距離通信手段と通信するように意図された第１長距離通信手段を含む。
【００６７】
このプラットフォームは、出発点から到着点まで物体を搬送するためのデータを受信するように構成された遠隔アクセス可能なサーバ３０を備える。出発点及び到着点の入力方法の詳細は後述される。
【００６８】
サーバは、さらに、携帯型ユニットによってプラットフォームに送信されたジオロケーションデータを記憶する手段３００を備える。
【００６９】
したがって、搬送される物体を追跡するシステムは、携帯型コンピュータユニットによって送信されたジオロケーションデータを組み込み機器のコンピュータモジュール内にローカルに記憶することに限定されない。それどころか、組み込み機器によって利用される携帯型コンピュータユニットのジオロケーションリソースに加えて、組み込み機器は、管理プラットフォームとのやり取りのために、携帯型コンピュータユニットの長距離通信手段も利用する。
【００７０】
本発明の本質によれば、プラットフォームは配布予定の広告を配布するためのモジュールを含む。これらの広告は、１つ以上のホスト上のプラットフォーム内部又はプラットフォーム外部のデータベースに記憶されてもよい。
【００７１】
広告が１つ以上の外部ホストに記憶される場合、広告はプラットフォームの配布モジュールを通過し、ジオロケーションデータは、ジオロケーションされたパッケージに向けられた広告の配布をトリガするために、プラットフォームによってホストに供給される。
【００７２】
代替的に、プラットフォームは、配布される広告のバッファデータベースを含む。配布ための選択基準としての関連付けられた地理的領域を有する広告は、それらをバッファデータベースに記憶するためにそれらを処理するプラットフォームの管理者に、広告主によって送信される。
【００７３】
ともかく、携帯型コンピュータユニットのリソースの利用に関して前述した本質によれば、広告はプラットフォームの第１長距離通信手段によってプラットフォームから配布され、第１長距離通信手段は携帯型コンピュータユニットに含まれた第２長距離通信手段と通信する。広告は、それから、第１近距離無線通信手段と第２近距離無線通信手段との間、すなわち携帯型ユニットと組み込み機器の間の通信チャネルを介してパッケージ内の組み込み機器に転送される。受信された広告は、パッケージの画面上に広告を表示する目的で組み込み機器によって処理される。
【００７４】
さらに、サーバは、「クライアント」個人及び搬送される物体に関する第１データベース３０３をホストし、第１データベース３０３は、
−搬送される物体を重量及びサイズで特徴づける情報
−ジオロケーションされた位置からの出発日
−ジオロケーションされた位置からの配達日
を含む。
【００７５】
サーバは、コミュニティの「移動者」個人及び当該個人の携帯型コンピュータユニットに関する第２データベース３０２もホストし、第２データベース３０２は、（個人の身元に加えて）
−当該個人の出発日
−当該個人の出発地
−当該個人の到着日
−当該個人の到着地
を含む。
【００７６】
各組み込み機器はデジタル識別コードによって識別でき、サーバ３０は組み込み機器のデジタル識別コードのデータベース３０１をホストすることに留意されたい。
【００７７】
さらに、プラットフォームは、物体搬送の要求をプラットフォームに送信するように構成されたユーザインターフェイスとの接続及び通信手段を備えることに留意されたい。
【００７８】
実際には、これらのインターフェイスは、専用のコンピュータアプリケーションがロードされたスマートフォンからなる。このサービスはコンピュータから利用できてもよい。
【００７９】
サーバは、コミュニティの「保管者」個人、並びに当該個人の携帯型コンピュータユニット及び／又はコンピュータに関する第３データベース３０４もホストし、第３データベース３０４は、（当該個人の身元に加えて）
−当該個人の地理的位置
−当該個人が所持する利用可能な（組み込み機器を有する）パッケージの数
を含む。
【００８０】
データベース３０２、３０３、及び３０４は、分離されてもよいし、グローバルデータベース内にまとめられてもよい。各データベースは、ユーザのプロファイルに専用のコンピュータアプリケーション、この場合、それぞれに「移動者」コンピュータアプリケーション３０５、「クライアント」コンピュータアプリケーション３０６、及び「保管者」コンピュータアプリケーション３０７と連携してデータを受信できる。
【００８１】
ここから、本発明による搬送システムにおける物体の搬送及び個人間のやり取りの手順について説明する。
【００８２】
第１の搬送例によれば、物体はある保管場所から別の保管場所へ搬送され、この場合、物体を送付するサービスのユーザは、搬送される物体を預けるために第１保管場所へ行き、受取人は、搬送された物体を受け取るために第２保管場所へ行かなければならない。
【００８３】
この手順によれば、搬送される物体を有するユーザは、
−（ユーザが最も近い保管場所を知っている限りで、そうでなければ、プラットフォームは、ユーザのジオロケーション、例えばユーザの職場や居住地に応じて、この保管場所を特定してもよい）ジオロケーションされた位置からの出発日
−配達日及び（目的地の住所の形式をとってもよい）ジオロケーションされた位置
−物体の重量及び／又は寸法
−場合によって、支払方法
の入力を可能にするユーザインターフェイスにアクセスするために、システムのプラットフォームに接続する。
【００８４】
入力された出発側ジオロケーションリソースにしたがって、プラットフォームは上述の組み込み機器を備えつけられた発送小包を予約し、この予約を保管場所に報告する。特定された保管場所において発送小包が利用できない場合、プラットフォームは特定の保管場所に発送小包を送付するサービスを提供する。
【００８５】
ユーザは、自身の搬送される物体を持って第１保管場所に向かう。ユーザのスマートフォンにロードされた専用のコンピュータアプリケーションを用いて、ユーザのスマートフォンは、自身のスマートフォン（又はコンピュータ）上に同じコンピュータアプリケーションを有する保管者に、物体及びその搬送に関するデータを送信する。これらの識別データを用い、保管者は、搬送される物体に割り当てられた発送小包を識別する（サービスのプラットフォームによって、発送小包に含まれた組み込み機器の特定のデジタル識別コードが選択されている）。
【００８６】
保管者は、識別された発送小包内の搬送される物体を所持する。ユーザは、自身の専用アプリケーションを介して保管者への引き渡しを承認し、保管者はこの引き渡しをデジタル方式で受理し、したがって、これにより、保管者はその物体及び発送小包に責任を負う。
【００８７】
この段階において、発送小包の組み込み機器は、近距離無線通信手段を介して保管者のスマートフォンと通信することを開始し、このスマートフォンのジオロケーションリソースにアクセスすることに留意されたい。
【００８８】
これと並行して、特に、
−出発日
−出発地
−到着日
−到着地
を入力する個人からなるコミュニティが、システムの管理プラットフォームに宣言される。
【００８９】
ユーザデータ、並びにコミュニティの個人及び当該個人の移動に関するデータを用いて、プラットフォームのサーバは、２つのデータベース、すなわち、搬送される物体に関するデータベースと、個人の移動に関するデータを含む、個人が保持する携帯型ユニットに関するデータベースとを形成する。
【００９０】
管理システムは、保管場所に存在し、発送の準備が整った発送小包に関するデータを、コミュニティの個人及び当該個人の移動に関するデータベースとリアルタイムで比較する。この比較によって、プラットフォームは、個人を、当該個人が出発側保管場所付近に存在し、当該個人の目的地が到着側保管場所付近にあるために、選択する。例えばＳＭＳによって、移動者個人のスマートフォンに、搬送される物体を包む発送小包を当該個人が受け取るために向かうべき時間及び位置を当該個人に示す警告が送信される。
【００９１】
出発側保管場所において、移動者は、自身のスマートフォンにロードされたコンピュータアプリケーションによって、保管者に身分を明らかにし、受け取ったばかりの発送小包の識別子を保管者に送信する。
【００９２】
保管者は、コンピュータシステムを介して、移動者個人への発送小包の引き渡しを承認し、そのことは、
−小包の組み込み機器から保管者のスマートフォンが切断されること
−発送小包の組み込み機器が移動者個人のスマートフォンに接続されること
をもたらす。
【００９３】
移動者個人は、第２保管場所、すなわち到着側保管場所に向かう。移動の間、発送小包の組み込み機器は、移動者個人のスマートフォンに常時接続されており、これにより、搬送される物体の追跡及びジオロケーションが確保され、これらのデータは、ユーザ及び送付者にとってアクセス可能なように定期的にプラットフォームに送信され得る。
【００９４】
到着側保管場所において、移動者個人は、発送小包を保管者に引き渡し、コンピュータを介して保管者に小包及び発送の識別子を示し、保管者はコンピュータを介して発送小包を預かったことを承認し、そのことは、
−移動者個人のスマートフォンから発送小包の組み込み機器が切断されること
−発送小包の組み込み機器が保管者のスマートフォンに接続されること
をもたらす。
【００９５】
到着側保管者による発送小包の預かりの受理がコンピュータを介してシステムの管理プラットフォームに報告され、管理プラットフォームは、到着側保管場所のジオロケーションデータを受取人ユーザに送信することで、ＳＭＳによる警告信号を受取人ユーザに送信する。
【００９６】
受取人個人は、到着側保管場所に向かい、事前に自身のスマートフォンにロードされたコンピュータアプリケーションを介して保管者に身分を明らかにする。
【００９７】
保管者は、コンピュータを介して受取人個人の身元を確かめ、この個人への発送小包の引き渡しを承認する。そのことは、
−小包の組み込み機器が保管者のスマートフォンから切断されること
−発送小包の組み込み機器が受取人個人のスマートフォンに接続されること
をもたらす。
【００９８】
受取人ユーザはコンピュータを介して発送小包の受取りを承認し、この承認はシステムの管理プラットフォームに送信され、システムの管理プラットフォームはＳＭＳで送付者ユーザに通知を行う。
【００９９】
無論、ここまで説明してきた保管搬送システム及び保管者は、送付者個人と出発側保管場所との間で発送小包を搬送する移動者個人の介在によって、及び、搬送の他端で、到着側保管場所から受取人個人への発送小包の移動を確保してもよい移動者個人の介在によって、上流及び下流で質を高められてもよい。
【０１００】
本発明による搬送システムは、上述の組み込み機器を備えつけられた１つ又は複数のパッケージを預かる相次ぐ行為の追跡を確実にすることを目的とした、責務を移転するシステムによって実施できることに留意されたい。
【図１】
2019537165.tif 000003
【図２】
2019537165.tif 000004
【図３】
2019537165.tif 000005
【国際調査報告】
2019537165.tif 000006
2019537165.tif 000007
2019537165.tif 000008
2019537165.tif 000009